(57)【要約】【課題】  シャツターカーテンの閉鎖状態で室外側から容易に破断されることが無く、しかも補強のための部材や部品を必要としないことを課題とする。【解決手段】上下縁部に湾曲状のインターロック部を形成した複数枚のスラット同志をインターロック部で上下一連状に連結してなる建築用シャツターであって、隣接スラツトの少なくとも一方のインターロック部は、その先端部を折り返し屈折して湾曲重合状に形成した。【選択図】図２
2005097967.tif 000002
【特許請求の範囲】
【請求項１】
上下縁部に湾曲状のインターロック部を形成した複数枚のスラット同志をインターロック部で上下一連状に連結してなる建築用シャツターであって、隣接スラツトの少なくとも一方のインターロック部は、その先端部を折り返し屈折して湾曲重合状に形成されていることを特徴とする建築用シャツターのスラット連結構造。
【請求項２】
上下縁部に湾曲状のインターロック部を形成した複数枚のスラット同志をインターロック部で上下一連状に連結してなる建築用シャツターであって、隣接スラツトの上側インターロック部先端部を折り返し屈折して湾曲重合状に形成すると共に、該湾曲重合部位は断面視において少なくとも上側インターロック部の先端部から略水平線上に位置する湾曲部位に至って形成されていることを特徴とする建築用シャツターのスラット連結構造。
【請求項３】
前記隣接スラツトの連結部は上側スラットのインターロック部上端外面側で下側スラットのインターロック部上端内面側を吊持支持するように構成されていることを特徴とする請求項１または請求項２のいずれかに記載の建築用シャツターのスラット連結構造。
【発明の詳細な説明】
【技術分野】
【０００１】
本発明は、住宅等の建物の開口部に建て付けられる建築用シャツターのスラット連結構造に関するものである。
【背景技術】
【０００２】
一般に、この種の建築用シャツターは、鋼板からなる複数枚のスラツト同志を一連状に連結してシャツターカーテンを構成したものであるが、とりわけ住宅の開口部に設置されるシャツターにおいてはスラットが薄板鋼板で形成されており、室外側から工具を用いて意図的にスラットを破断されてしまう恐れがある。
また、スラットは帯状の薄板鋼板をロール成型することでその上下縁部にそれぞれ湾曲状のインターロック部を形成し、これらインターロック部同志を揺動自在に連結することによってシャツターカーテンが構成されているが、上下隣接するスラットのうち上側スラットに形成した下側インターロック部内面側に下側スラットに形成した上側インターロック部の先端部を当接することによって上下に吊持ち支持するようになっているため、連結部において揺動時に該先端部が上側スラットの下側インターロック部内面側をこじる状態で接触し、このためスラット同志の円滑な揺動が阻害されたり揺動時に不快なこじり音が発生するばかりでなく、下側インターロック部内面の塗装剥離を招く結果、雨水が溜まり易い該内面に錆の発生を誘発し易いという問題があった。
【０００３】
この改善策として、スラットの長手方向に形成した挿通孔に丸棒を遊転自在に挿通して、工具によるシャツターカーテンの破断防止を図るようにしたものがある。（特許文献１）
また、上下隣接するスラットの各インターロック結合半部の一方を結合半部の先端部を折り返し折曲してＲ状先端部とし、該Ｒ状先端部がインターロック結合される他側のインターロック結合半部に当接するようにしてスラット同志の揺動によるこじり音を防止して連結部の円滑な揺動を図るようにしたものがある。（特許文献２）
【特許文献１】実開平３−８０８９０号公報
【特許文献２】特開平６−７３９６５号公報
【発明の開示】
【発明が解決しようとする課題】
【０００４】
ところが、上記文献１に示すものは、スラットに丸棒を挿通するスペースを確保しなければならないばかりか、各スラツト毎に丸棒を挿通する作業手間が発生し製造上の効率が低下してしまう問題があり、また上記文献２のものはこじり音の発生を軽減することができるものの揺動動作に伴なってＲ状先端部がインターロック結合される他側のインターロック結合半部を摺接するので、雨水等が滞溜し易い該摺接部位の塗料が剥離して錆が発生し易いという問題があり、これらに本発明が解決する課題がある。
【課題を解決するための手段】
【０００５】
本発明は、これらの課題を解決するために創作されたものであって、請求項１の発明は、上下縁部に湾曲状のインターロック部を形成した複数枚のスラット同志をインターロック部で上下一連状に連結してなる建築用シャツターであって、隣接スラツトの少なくとも一方のインターロック部は、その先端部を折り返し屈折して湾曲重合状に形成されていることを特徴とするものである。
また、請求項２の発明は、上下縁部に湾曲状のインターロック部を形成した複数枚のスラット同志をインターロック部で上下一連状に連結してなる建築用シャツターであって、隣接スラツトの上側インターロック部先端部を折り返し屈折して湾曲重合状に形成すると共に、該湾曲重合部位は断面視において少なくとも上側インターロック部の先端部から略水平線上に位置する湾曲部位に至って形成されていることを特徴とするものである。
さらに、請求項３の発明は、前記隣接スラットの連結部が上側スラットのインターロック部上端外面側で下側スラットのインターロック部上端内面側を吊持支持するように構成されていることを特徴とするものである。
【発明の効果】
【０００６】
請求項１の発明とすることにより、シャツターカーテン閉鎖時に、外部から金切鋏等の工具を用いてシャツターカーテンを上下方向に破断しようとしてもインターロック部は先端部が折り返し屈折して湾曲重合状に形成されて補強されているので容易に破断され難く、仮に破断に至ったとしてもそれに費やす労力と時間が多大なものとなり防犯上有益である。また、インターロック部のみ補強したのでシャツーカーテン全体としての増加重量が少なく、シャツターカーテン開閉動作に対する負担増も少なくてすむこととなる。さらに、スラットの風圧方向に対する強度も向上し、従来のように一枚の鋼板でインターロック部を形成したものに比してシャツターカーテンの耐風圧強度も向上する。
また、請求項２の発明は、請求項１のものより鋼板材料を少なく抑えてより効率的に防犯効果を得ることができるものである。
さらに、請求項３の発明によれば、上記効果に加えて上側スラットのインターロック部上端外面で下側スラットのインターロック部上端内面を吊持支持するように構成したので、雨水の滞溜し易い下側インターロック部の内面側が擦られることがないので塗装剥離の恐れが無く従って該部位に錆等が発生しない。
【発明を実施するための最良の形態】
【０００７】
つぎに本発明の実施の形態を図面に基づいて説明する。
図面において、１は開口部に建て付けられる建築用シャツターのシャツターカーテンであって、該シャツターカーテン1は、開口部上方に設けられるシャツターケース２に内装された巻取りドラムに巻装され、その両端部を開口部左右に立設したガイドレール３に案内されて上下昇降動して開口部の開閉を行うようになっていること等は、いずれも従来どおりである。
【０００８】
シャツターカーテン１は、複数枚のスラット４同志を一連状に連結して構成されているものであるが、図２に示すように各スラット４は帯状の薄板鋼板をロール成形することによって形成されており、その上下両縁部にはそれぞれインターロック結合するための湾曲状の上側インターロツク部４ａと下側インターロック部４ｂがそれぞれ屈曲形成されている。
上側インターロック部４ａは、スラツト本体４Ｈの上端から上方に向けて湾曲状に形成されその先端部は下方に垂下状に形成されている。また、下側インターロック部４ｂは、スラツト本体４Ｈの下端から上記上側インターロック部４ａと反対側に向けて、下方から湾曲状に形成されその起立部４ｄの先端は僅かに垂下状に形成されている。
そしてこのものにおいては、上側インターロック部４ａの先端側を湾曲部に沿って折り返した折り返し片４ｃを該インターロック部４ａの略全体に形成することによってスラット４を形成する薄板鋼板が積層した湾曲重合状に形成されている。
【０００９】
また、上側インターロック部４ａ先端部の垂下長さＡ（上側インターロック部４ａ先端と湾曲部内面との距離）は、下側インターロック部４ｂの起立長さＢ（下側インターロツク部４ｂ先端と湾曲部内面との距離）より短く設定されている。
【００１０】
なお、湾曲重合部位は、例えば図３のように上側インターロック部４ａに形成する場合には、上記実施の形態に示すように上側インターロック部４ａ全体に形成する必要は無く、少なくとも該インターロック部４ａの先端部から略水平線上に位置する湾曲部位に至って形成すれば良いものである。
【００１１】
叙述の如く構成されたスラツト４は、複数枚がインターロック結合して一連状に連結されて構成されるが、切断工具を用いて上下方向にスラツト４を切断しようとした場合に鋼板が積層状となつた重合部により切断作業に時間と手間を要することとなる。
すなわち、図３に示すインターロック結合部においては、一点鎖線の位置まで切断する場合まず上下に３層となった部位から始まって水平部位６枚の鋼板を切断しなければならないことになって防犯上有益である。更にインターロック部のみ補強したのでシャツーカーテン全体としての増加重量が少なく、開閉動作に対する負担増も少なくてすむばかりか、風圧に対するスラットの耐風圧強度も向上することとなる。
また、シャツターカーテン１は巻き取りドラムに巻き取り巻き戻しすることにより建物開口部を開閉することとなるが、その際上下隣接するスラットのうち上方に位置するスラット４は下方に位置するスラット４に対して揺動するが、上側スラットのインターロック部上端外面で下側スラットのインターロック部上端内面が吊持支持されることとなる結果、下側インターロック部の内面側が擦られることが回避される。
【００１２】
尚、本発明に係るスラットは、上記実施の形態に限定されるものではなく、下側インターロック部４ｂのみを湾曲重合状に形成したものや上下インターロック部４ａ，４ｂの両方を湾曲重合状に形成したもの（図４，図５）であってもよく、この場合には更に多枚数の鋼板を切断しなければならなくなってより防犯性に優れたものとなる。  
【図面の簡単な説明】
【００１３】
【図１】建築用シャツターの正面図である。
【図２】スラツトの断面図である。
【図３】インターロツク結合部を示す拡大断面図である。
【図４】スラツトの断面図である。
【図５】インターロツク結合部を示す拡大断面図である。
【符号の説明】
【００１４】
１    シャツターーテン
２    シャツーケース
３    ガイドレール
４    スラット
４ａ  上側インターロック部
４ｂ  下側インターロック部
４ｃ  折り返し片
４ｄ  起立部
【図１】
2005097967.tif 000003
【図２】
2005097967.tif 000004
【図３】
2005097967.tif 000005
【図４】
2005097967.tif 000006
【図５】
2005097967.tif 000007